(57)【要約】【課題】  装置本体の小型化、およびコストダウンを図るとともに、ユーザがチャンネルを切り換えてから、実際に切り換えられたチャンネルの受信を開始するまでに要する時間を短縮させた受信装置を提供する。【解決手段】  受信装置１は、チャンネル毎に、動作クロックの整数倍の周波数がそのチャンネルに対応する周波数帯域内に存在しない周波数を対応付けて登録したチャンネルテーブル２ａを制御部２のメモリに記憶している。クロック生成部７は、システムクロックを分周してデコード部４を動作させる動作クロックを生成する。したがって、チャンネルが選択されると、そのチャンネルを受信するのに適したデコード部４の動作クロックの周波数をすぐに決定することができるとともに、デコード部４に対して動作クロックを供給する発信回路を複数設ける必要がなく、装置本体の小型化およびコストダウンが図れる。【選択図】  図１
2006332857.tif 000002
【特許請求の範囲】
【請求項１】
受信チャンネルを選択するチャンネル選択手段と、
前記チャンネル選択手段で選択されたチャンネルに対応する周波数帯域で放送されているディジタル放送信号を受信し、受信したディジタル放送信号を復調する受信手段と、
前記受信手段で復調されたディジタル放送信号から映像データおよび音声データを取り出し、デコードするデコード手段と、
前記デコード手段によりデコードされた映像データ、および音声データに基づいて映像出力および音声出力を行う出力手段と、を備えた受信装置において、
前記チャンネル選択手段により選択可能なチャンネル毎に、前記デコード手段の動作クロックの周波数を対応付けて登録したチャンネルテーブルを記憶する記憶手段と、
前記チャンネルテーブルに登録されている、その時点で前記チャンネル選択手段が選択しているチャンネルに対応付けられている周波数の動作クロックを、システムクロックを分周して生成し、前記デコード手段に供給する動作クロック生成手段と、を備え、
前記チャンネルテーブルは、チャンネル毎に、動作クロックの整数倍の周波数がそのチャンネルに対応する周波数帯域内に存在しない周波数を対応付けて登録したテーブルであり、且つ特定の周波数の整数倍が周波数帯域内に存在しないチャンネルについては、この特定の周波数を対応付け、残りのチャンネルについては、この特定の周波数と異なる周波数を対応付けて登録したテーブルであり、
さらに、前記受信手段により復調された信号は、トランスポートストリームである受信装置。
【請求項２】
受信チャンネルを選択するチャンネル選択手段と、
前記チャンネル選択手段で選択されたチャンネルに対応する周波数帯域で放送されているディジタル放送信号を受信し、受信したディジタル放送信号を復調する受信手段と、
前記受信手段で復調されたディジタル放送信号から映像データおよび音声データを取り出し、デコードするデコード手段と、
前記デコード手段によりデコードされた映像データ、および音声データに基づいて映像出力および音声出力を行う出力手段と、を備えた受信装置において、
前記チャンネル選択手段により選択可能なチャンネル毎に、前記デコード手段の動作クロックの周波数を対応付けて登録したチャンネルテーブルを記憶する記憶手段と、
前記チャンネルテーブルに登録されている、その時点で前記チャンネル選択手段が選択しているチャンネルに対応付けられている周波数の動作クロックを、システムクロックを分周して生成し、前記デコード手段に供給する動作クロック生成手段と、を備えた受信装置。
【請求項３】
前記チャンネルテーブルは、チャンネル毎に、動作クロックの整数倍の周波数がそのチャンネルに対応する周波数帯域内に存在しない周波数を対応付けて登録したテーブルである請求項２に記載の受信装置。
【請求項４】
前記チャンネルテーブルは、特定の周波数の整数倍が周波数帯域内に存在しないチャンネルについては、この特定の周波数を対応付け、残りのチャンネルについては、この特定の周波数と異なる周波数を対応付けて登録したテーブルである請求項２または３に記載の受信装置。
【請求項５】
前記受信手段により復調された信号は、トランスポートストリームである請求項２〜４のいずれかに記載の受信装置。
【発明の詳細な説明】
【技術分野】
【０００１】
この発明は、ディジタル放送を受信する受信装置に関する。
【背景技術】
【０００２】
従来、ディジタル放送を受信する受信装置が実用化されている。ディジタル放送の受信装置は、アンテナ等で受信しているディジタル放送信号が本体に入力される。受信部が、入力されたディジタル放送信号から、その時点で選択されているチャンネルに対応する周波数帯域の信号を取り出し、ここで取り出した信号を復調する。この復調されたディジタル放送信号は、符号化された映像データ、および音声データが多重化されたトランスポートストリーム（以下、ＴＳと言う。）である。デコード部が、ＴＳから映像データ、および音声データを分離して取り出し、ここで取り出した映像データ、および音声データを個別にデコードする。受信装置は、デコード部でデコードされた映像データに基づく映像信号、および音声データに基づく音声信号を出力する。このとき、映像、および音声の再生同期を取って出力する。
【０００３】
ところで、ディジタル放送の受信装置では、映像データ、および音声データをデコードするデコード部に供給している動作クロックの高調波（動作クロックの整数倍の周波数の信号）が受信部に入力されているディジタル放送信号に回り込む。このため、受信部が取り出すディジタル放送信号の周波数帯域内に、すなわち選択されているチャンネルに対応する周波数帯域内に、デコード部の動作クロックの高調波周波数が存在すると、受信部で取り出されるディジタル放送信号は、デコード部の動作クロックの高調波が干渉している。このため、デコード部の動作クロックの高調波がノイズとなり、適正な映像信号や音声信号を出力することができなくなる。
【０００４】
そこで、選択されているチャンネルに対応する周波数帯域内に、デコード部の動作クロックの高調波周波数が存在しないように、選択されているチャンネルに応じてデコード部に供給する動作クロックの周波数を切り換えることが提案されている（特許文献１〜３等）。
【特許文献１】特開２００３−２１８７１５号公報
【特許文献２】特開２００４−  ５３６３７号公報
【特許文献３】実用新案登録第３１０４７３２号公報
【発明の開示】
【発明が解決しようとする課題】
【０００５】
しかしながら、特許文献２、３で提案されている受信装置は、デコード部に供給する動作クロックを発信する発信回路を２つ設けている。これら２つの発信回路は、異なる周波数の動作クロックを発信する。この受信装置は、受信するチャンネルに応じて、このチャンネルの周波数帯域内に高調波周波数が存在しない周波数の動作クロックを発信する発信回路を選択し、ここで選択した発信回路の出力を動作クロックとしてデコード部に供給する構成である。このように、特許文献２、３は、発信回路を２つ設ける構成であるため、装置本体の大型化、コストアップという問題があった。
【０００６】
なお、特許文献１には、デコード部に動作クロック供給する発信回路の構成について、詳細に記載されていない。
【０００７】
また、特許文献１に記載されている、チャンネルが切り換えられたときに、このチャンネルに対応する周波数帯域から、デコード部に供給する動作クロックの周波数を算出する構成であると、ユーザがチャンネルを切り換える操作を行ってから。実際に切り換えられたチャンネルで放送されている映像、および音声の出力が開始されるまでの時間が長くなる。すなわち、映像および音声の出力が開始される時間が、デコード部に供給する動作クロックの周波数を算出するのに要する時間だけ遅れる。このため、ユーザの使い勝手が良くないという問題があった。
【０００８】
この発明の目的は、装置本体の小型化、およびコストダウンを図るとともに、チャンネルが切り換えられてから、実際に切り換えられたチャンネルの映像および音声の出力が開始されるまでに要する時間を短縮し、ユーザの使い勝手を向上させた受信装置を提供することにある。
【課題を解決するための手段】
【０００９】
この発明の受信装置は、上記課題を解決するために以下の構成を備えている。
【００１０】
受信チャンネルを選択するチャンネル選択手段と、
前記チャンネル選択手段で選択されたチャンネルに対応する周波数帯域で放送されているディジタル放送信号を受信し、受信したディジタル放送信号を復調する受信手段と、
前記受信手段で復調されたディジタル放送信号から映像データおよび音声データを取り出し、デコードするデコード手段と、
前記デコード手段によりデコードされた映像データ、および音声データに基づいて映像出力および音声出力を行う出力手段と、を備えた受信装置において、
前記チャンネル選択手段により選択可能なチャンネル毎に、前記デコード手段の動作クロックの周波数を対応付けて登録したチャンネルテーブルを記憶する記憶手段と、
前記チャンネルテーブルに登録されている、その時点で前記チャンネル選択手段が選択しているチャンネルに対応付けられている周波数の動作クロックを、システムクロックを分周して生成し、前記デコード手段に供給する動作クロック生成手段と、を備えている。
【００１１】
この構成では、チャンネル毎にデコード手段の動作クロックの周波数をチャンネルテーブルに対応付けて登録しているので、チャンネルが切り換えられたときに、そのチャンネルを受信するときにデコード手段に供給する動作クロックの周波数がすぐに得られる。したがって、ユーザがチャンネルを切り換えてから、実際に切り換えられたチャンネルの映像、および音声が出力されるまでに要する時間の短縮が図れる。これにより、ユーザの使い勝手を向上させることできる。
【００１２】
また、動作クロック生成手段は、デコード手段に供給する動作クロックを発信する発信回路を複数設けた構成ではなく、システムクロックを分周してデコード手段に供給する動作クロックを生成する構成であるので、装置本体の小型化、およびコストダウンが図れる。
【００１３】
また、チャンネルテーブルにおいては、各チャンネルに対して、そのチャンネルが対応する周波数帯域内に高調波周波数（整数倍の周波数）が存在しない周波数を、動作クロックの周波数として対応付けている。したがって、デコード手段の動作クロックの高調波がノイズとなって、受信しているチャンネルの映像、および音声が適正に出力できないという事態が生じることもない。
【００１４】
また、前記チャンネルテーブルは、特定の周波数の整数倍が周波数帯域内に存在しないチャンネルについては、この特定の周波数を対応付け、残りのチャンネルについては、この特定の周波数と異なる周波数を対応付けて登録したテーブルとしてもよい。
【００１５】
このように構成すれば、動作クロック生成手段が生成する、デコード手段に供給する動作クロックの種類（周波数の種類）が抑えられる。これにより、動作クロック生成手段の処理が複雑化するのを十分に抑えることができる。
【００１６】
なお、前記受信手段により復調された信号は、例えばトランスポートストリームである。
【発明の効果】
【００１７】
この発明によれば、チャンネル毎にデコード手段の動作クロックの周波数をチャンネルテーブルに対応付けて登録しているので、チャンネルが切り換えられたときに、そのチャンネルを受信するときにデコード手段に供給する動作クロックの周波数がすぐに得られる。したがって、ユーザがチャンネルを切り換えてから、実際に切り換えられたチャンネルの映像、および音声が出力されるまでに要する時間の短縮が図れ、ユーザの使い勝手を向上させることできる。
【００１８】
また、システムクロックを分周してデコード手段に供給する動作クロックを生成するので、装置本体の小型化、およびコストダウンが図れる。
【発明を実施するための最良の形態】
【００１９】
以下、この発明の実施形態である受信装置について説明する。
【００２０】
図１は、この発明の実施形態である受信装置の主要部の構成を示すブロック図である。この実施形態の受信装置１は、本体の動作を制御する制御部２と、アンテナ１０で受信されているディジタル放送信号から選択されているチャンネルに対応する周波数帯域のディジタル放送信号を取り出すとともに、ここで取り出したディジタル放送信号を復調する受信部３と、受信部３で復調されたディジタル放送信号から映像データ、および音声データを取り出しデコードするデコード部４と、デコード部４でデコードされた映像データおよび音声データに基づく映像信号および音声信号を出力する出力部５と、チャンネルの選択等の入力を受け付ける入力部６と、デコード部４に対して動作クロックを供給するクロック生成部７と、を備えている。制御部２は、選択可能なチャンネル毎に、そのチャンネルが選択（選局）されているときに、デコード部４に供給する動作クロックの周波数を対応付けて登録したチャンネルテーブル２ａ（図２参照）を、図示していないメモリに記憶している。
【００２１】
このチャンネルテーブル２ａは、選択できるチャンネル（物理チャンネル）毎に、そのチャンネルに対応する周波数帯域に高調波周波数（整数倍の周波数）が存在しない周波数が、デコード部４に供給する動作クロックの周波数として対応付けられている。チャンネルテーブルに登録されている、デコード部４に対して供給する動作クロックの周波数は、チャンネル毎に異なる周波数ではなく、殆どのチャンネルについては特定の周波数（図２に示すｎＭＨｚ）が対応付けられている。以下、この特定の周波数をメイン周波数と言い、この特定の周波数と異なる周波数をサブ周波数（図２に示すｍＭＨｚやｌＭＨｚ）と言う。メイン周波数は、受信装置１本体を最適な状態で動作させることができると考えられる設計値である。また、サブ周波数は、メイン周波数に対して数ＭＨｚ〜十数ＭＨｚ異なる周波数であり、装置本体を適正な状態で動作させることができると考えられる設計値である。サブ周波数の個数は、受信可能なチャンネルにより決められている。具体的には、メイン周波数（ｎＭＨｚ）の高調波周波数が存在しない周波数帯域が対応するチャンネルについては、デコード部４に供給する動作クロックの周波数としてメイン周波数（ｎＭＨｚ）を登録している。言い換えれば、メイン周波数（ｎＭＨｚ）の高調波周波数が存在する周波数帯域が対応するチャンネルのみ、デコード部４に供給する動作クロックの周波数として、メイン周波数（ｎＭＨｚ）と異なるサブ周波数（ｍＭＨｚやｌＭＨｚ等）を登録している。また、メイン周波数（ｎＭＨｚ）の高調波周波数が存在する周波数帯域が対応するチャンネル毎に、デコード部４に供給する動作クロックの周波数が異なるわけではない。具体的には、メイン周波数の高調波周波数が存在し、且つ第１のサブ周波数（ｍＭＨｚ）の高調波周波数が存在しない周波数帯域のチャンネルについては、デコード部４に供給する動作クロックの周波数として第１のサブ周波数を登録している。また、メイン周波数、および第１のサブ周波数の高調波周波数が存在し、且つ第２のサブ周波数（ｌＭＨｚ）の高調波周波数が存在しない周波数帯域のチャンネルについては、デコード部４に対して供給する動作クロックの周波数として第２のサブ周波数を対応付けている。このように、メイン周波数、および第１〜第Ａのサブ周波数の高調波周波数が存在し、且つ第Ａ＋１のサブ周波数の高調波周波数が存在しない周波数帯域のチャンネルに対して、第Ａ＋１のサブ周波数を対応付けている。ここでは、Ａは２以上の整数である。したがって、チャンネルテーブル２ａに登録されているデコード部４に供給する動作クロックの周波数の種類は、メイン周波数と数種類のサブ周波数である。
【００２２】
なお、メイン周波数、およびサブ周波数は、チャンネルに対応する周波数の帯域幅（数ＭＨｚ）よりも大きく、数十〜数百ＭＨｚである。また、サブ周波数は、Ａの値が小さいほど、設計的に装置本体を適正な状態で動作させることができると考えられる周波数である。
【００２３】
受信部３には、ディジタル放送を受信するためのアンテナ１０が接続されている。受信部３には、アンテナ１０で受信されている各チャンネルのディジタル放送信号が入力される。受信部３は、その時点で選択されているチャンネルのディジタル放送信号の周波数を中間周波数に変換し、バンドパスフィルタでこの中間周波数を中心とする数ＭＨｚ（例えば、６ＭＨｚ）の帯域幅のディジタル放送信号を取り出す。すなわち、選択されているチャンネルに対応する周波数帯域で放送されているディジタル放送信号を取り出す。また、受信部３は、中間周波数に変換し、取り出したディジタル放送信号を復調し、出力する。受信部３から出力される復調信号は、映像データおよび音声データが多重化されたトランスポートストリーム（以下、ＴＳと言う。）である。
【００２４】
デコード部４は、受信部３から出力されたＴＳから、映像データおよび音声データを分離して取り出し、取り出した映像データおよび音声データをそれぞれデコードする。デコード部４には、図示していないが、映像データをデコードするビデオデコーダや、音声データをデコードするオーディオデコーダが設けられている。また、デコードした映像データと音声データの再生同期をとるために、デコードされた映像データおよび音声データを一時的に記憶するバッファメモリを備えている。デコード部４は、バッファメモリに記憶している映像データと音声データとの再生同期をとって、出力する。
【００２５】
出力部５は、デコード部４でデコードされた映像データに基づく映像信号を生成し、出力する映像データ処理部（不図示）と、デコード部４でデコードされた音声データに基づく音声信号を生成し、出力する音声データ処理部（不図示）とを有している。映像データ処理部から出力された映像信号は、表示装置１１に入力される。表示装置１１では、入力された映像信号に基づく映像が表示される。また、音声データ処理部から出力された音声信号は、スピーカ１２に入力される。スピーカ１２では、入力された音声信号に基づく音声が出力される。入力部６は、ユーザがチャンネルを選択するときに操作するチャンネルキー等の操作キーや、図示していないリモコン装置から送信されてきたチャンネル切換信号等、装置本体に対する制御信号を受信するリモコン受信部を備えている。クロック生成部７は、制御部２を動作させるシステムクロックを分周し、所望の周波数のクロックを生成する。図１では、システムクロックを発信する発信部については、図示を省略している。クロック生成部７は、制御部２から指示された周波数のクロックを、システムクロックを分周して生成する。システムクロックは、数ＧＨｚ（例えば１ＧＨｚ）である。制御部２は、チャンネルテーブル２ａにおいて、その時点で選択されているチャンネルに対応付けられている周波数のクロックの生成をクロック生成部７に指示する。また、クロック生成部７は、生成されたクロックをデコード部４に動作クロックとして供給する。したがって、デコード部４に供給される動作クロックは、チャンネルテーブル２ａにおいて、その時点で選択されているチャンネルに対応付けられている周波数であり、その時点で選択されているチャンネルに対応する周波数帯域に高調波周波数が存在しない周波数である。
【００２６】
次に、この発明の実施形態である受信装置１の動作について説明する。図３は、この実施形態の受信装置の動作を示すフローチャートである。この実施形態の受信装置１は、装置本体の電源がオンされると図３に示す処理を開始し、装置本体の電源がオフされた時点でこの処理を終了する。受信装置１は、装置本体の電源がオンされると、選択されているチャンネルを検出する（ｓ１）。ｓ１で検出されるチャンネルは、前回の電源オフ時に選択されていたチャンネルである。受信装置１は、受信部３で受信するチャンネルを、この時点で選択されているチャンネルに設定する（ｓ２）。これにより、受信部３は、設定されたチャンネル、すなわちこの時点で選択されているチャンネル、のディジタル放送信号の周波数を中間周波数に変換する。受信部３は、中間周波数を中心とする数ＭＨｚの帯域幅のディジタル放送信号を取り出す。言い換えれば、受信部３は、選択されているチャンネルに対応する周波数帯域のディジタル放送信号を取り出す。また、受信部３は、取り出したディジタル放送信号を復調し、出力する。受信部３から出力される信号はＴＳである。
【００２７】
また、受信装置１は、チャンネルテーブル２ａにおいて、この時点で選択されているチャンネル（該当チャンネル）に対応付けられている、デコード部４に供給する動作クロックの周波数を読み出す（ｓ３）。受信装置１は、クロック生成部７に対して、ｓ３で読み出した周波数のクロックの生成を指示する（ｓ４）。これにより、クロック生成部７は、今回指示された周波数のクロックを生成する。具体的には、入力されているシステムクロックを分周し、指示された周波数のクロックを生成する。クロック生成部７で生成されたクロックは、デコード部４に動作クロックとして供給される。デコード部４は、クロック生成部４から供給される動作クロックで動作し、受信部３の出力であるＴＳから映像データ、および音声データを分離して取り出すとともに、取り出した映像データ、および音声データをそれぞれデコードする。このように、デコード部４はチャンネルテーブル２ａにおいて、この時点で選択されているチャンネルに対応付けられている周波数の動作クロックで動作する。映像データは、例えばＭＰＥＧ２やＭＰＥＧ４でエンコードされている。デコード部４は、エンコードされた映像データと音声データとをバッファメモリに一時的に記憶し、映像データと音声データとの再生同期をとって出力する。出力部５は、デコード部４から出力された映像データに基づく映像信号を生成し出力するとともに、音声データに基づく音声信号を生成し出力する。
【００２８】
出力部５から出力された映像信号は、この出力部５に接続されている表示装置１１に入力される。表示装置１１は、入力された映像信号に基づく映像を表示する。また、出力部５から出力された音声信号は、この出力部５に接続されているスピーカ１２に入力される。スピーカ１２は、入力された音声信号に基づく音声を出力する。これにより、ユーザは、選択しているチャンネルで放送されている番組を視聴することができる。また、表示装置１１で表示される映像と、スピーカ１２から出力される音声との再生同期も取られている。
【００２９】
また、受信装置１は、ｓ４にかかる処理を完了すると、チャンネルの切り換えにかかる操作がユーザにより行われるのを待つ（ｓ５）。具体的には、入力部６において、チャンネルの切り換えにかかる入力があるのを待つ。ユーザは、入力部６が備えるチャンネルキー、または図示していないリモコン装置のチャンネルキーを操作することで、装置本体に対してチャンネルの切り換えにかかる入力を行うことができる。受信装置１は、ｓ５でチャンネルの切り換えにかかる入力があったと判定すると、選択されているチャンネルを、今回切り換えられたチャンネルに更新し（ｓ６）、ｓ２に戻って、上記処理を繰り返す。これにより、クロック生成部７は、受信するチャンネルが切り換えられると、チャンネルテーブル２ａにおいて、切り換えられたチャンネルに対応付けられている周波数のクロックを生成する。したがって、デコード部４には、チャンネルが切り換えられると、チャンネルテーブル２ａにおいて、切り換えられたチャンネルに対応付けられている周波数の動作クロックが供給される。
【００３０】
上述したように、チャンネルテーブル２ａでは、チャンネル毎に、そのチャンネルに対応する周波数帯域に高調波周波数が存在しない周波数が対応付けられている。したがって、受信部３において取り出される、選択されているチャンネルのディジタル放送信号に、デコード部４の動作クロックの高調波が干渉することがない。したがって、デコード部４の動作クロックの高調波がノイズとなって、適正な映像や音声が出力できないという事態が生じるのを防止できる。
【００３１】
また、チャンネルテーブル２ａに、チャンネル毎にそのチャンネルの周波数帯域に高調波が存在しない周波数を対応付けて登録しているので、チャンネルが切り換えられたときに、その切り換えられたチャンネルに対して、高調波が干渉することがないデコード部４の動作クロックの周波数を、すぐに得ることができる。したがって、ユーザがチャンネルの切り換えにかかる操作を行ってから、実際に切り換えられたチャンネルで放送されている番組の映像、および音声が出力されるまでに要する時間の短縮が図れ、ユーザの使い勝手の向上が図れる。
【００３２】
また、クロック生成部７は、システムクロックを分周して、デコード部４に供給する動作クロックを生成する構成であるので、従来の受信装置のように、装置本体に複数の発信回路を設ける必要がなく、装置本体の小型化、およびコストダウンが図れる。
【００３３】
さらに、チャンネルテーブル２ａに登録されているデコード部４に供給する動作クロックの周波数の種類、すなわちクロック生成部７が生成するクロックの種類は、メイン周波数と数種類のサブ周波数であるので、クロック生成部７の処理が複雑化することもない。
【図面の簡単な説明】
【００３４】
【図１】この発明の実施形態である受信装置の主要部の構成を示すブロック図である。
【図２】この発明の実施形態である受信装置に登録されているチャンネルテーブルを示す図である。
【図３】この発明の実施形態である受信装置の動作を示すフローチャートである。
【符号の説明】
【００３５】
１−受信装置
２−制御部
２ａ−チャンネルテーブル
３−受信部
４−デコード部
５−出力部
６−入力部
７−クロック生成部
【図１】
2006332857.tif 000003
【図２】
2006332857.tif 000004
【図３】
2006332857.tif 000005